(57)【特許請求の範囲】
【請求項１】
原稿の表面の画像を読み取って、その読み取った画像に対応する読取信号を出力する表面用読取部と、
上記原稿の裏面の画像を読み取って、その読み取った画像に対応する読取信号を出力する裏面用読取部と、
上記表面用読取部を制御するための表面用制御信号と、上記裏面用読取部を制御するための裏面用制御信号とを、互いに重畳しないタイミングで１つの端子から順次出力する制御部と、
上記制御部が上記端子から出力する信号における上記表面用制御信号と上記裏面用制御信号との切り換りタイミングでその信号の入力先を切り換えることにより、上記表面用制御信号を上記表面用読取部に、上記裏面用制御信号を上記裏面用読取部に、それぞれ入力する制御信号切り換え部と、
を備えたことを特徴とする画像読取装置。
【請求項２】
上記制御部は、上記表面用読取部から出力された読取信号、または、上記裏面用読取部から出力された読取信号の、いずれかを選択する選択信号を出力し、
更に、
上記表面用読取部、または、上記裏面用読取部のいずれか一方から出力された読取信号に対して画像処理を行う画像処理部と、
上記表面用読取部から出力された読取信号、または、上記裏面用読取部から出力された読取信号の、いずれを上記画像処理部に入力するかを上記選択信号に応じて切り換える読取信号切り換え部と、
を備え、
上記制御部が上記端子から出力する信号の上記切り換りタイミングは、上記選択信号の変化に同期しており、
上記制御信号切り換え部は上記選択信号に基づいて上記入力先を切り換えることを特徴とする請求項１記載の画像読取装置。
【発明の詳細な説明】
【技術分野】
【０００１】
本発明は、原稿の画像を読み取る画像読取装置に関し、詳しくは、原稿の表裏面の画像を表面用読取部，裏面用読取部を介して個々に読み取ることができ、かつ、その表面用読取部，裏面用読取部が表面用制御信号，裏面用制御信号によって個々に制御される画像読取装置に関する。
【背景技術】
【０００２】
近年、原稿の画像を読み取るスキャナ等の画像読取装置（複写機等として画像形成装置と一体化されていてもよい）では、原稿の表裏両面の画像を読み取る要請が高まっている。そこで、原稿の表面の画像を読み取って、その読み取った画像に対応する読取信号を出力する表面用読取部と、原稿の裏面の画像を読み取って、その読み取った画像に対応する読取信号を出力する裏面用読取部とを備え、各読取部を制御部から出力された制御信号で個々に制御することが提案されている（例えば、特許文献１参照）。
【先行技術文献】
【特許文献】
【０００３】
【特許文献１】特開２０００−１５１９０７号公報
【発明の概要】
【発明が解決しようとする課題】
【０００４】
ところが、上記特許文献１では、表面用読取部を制御するための表面用制御信号と、裏面用読取部を制御するための裏面用制御信号とを、制御部の別個の端子から出力している。このため、その制御部には多くの端子を設ける必要が生じ、当該制御部を構成するＡＳＩＣ等のパッケージサイズが徒に大型化してしまう。
【０００５】
そこで、本発明は、原稿の表裏面の画像を表面用読取部，裏面用読取部を介して個々に読み取ることができ、かつ、その表面用読取部，裏面用読取部が表面用制御信号，裏面用制御信号によって個々に制御される画像読取装置において、上記各制御信号を出力するために要する制御部の端子数を減らすことを目的としてなされた。
【課題を解決するための手段】
【０００６】
上記目的を達するためになされた本発明の画像読取装置は、原稿の表面の画像を読み取って、その読み取った画像に対応する読取信号を出力する表面用読取部と、上記原稿の裏面の画像を読み取って、その読み取った画像に対応する読取信号を出力する裏面用読取部と、上記表面用読取部を制御するための表面用制御信号と、上記裏面用読取部を制御するための裏面用制御信号とを、互いに重畳しないタイミングで１つの端子から順次出力する制御部と、上記制御部が上記端子から出力する信号における上記表面用制御信号と上記裏面用制御信号との切り換りタイミングでその信号の入力先を切り換えることにより、上記表面用制御信号を上記表面用読取部に、上記裏面用制御信号を上記裏面用読取部に、それぞれ入力する制御信号切り換え部と、を備えたことを特徴としている。
【０００７】
このように構成された本発明の画像読取装置では、表面用読取部は原稿の表面の画像を読み取って、その読み取った画像に対応する読取信号を出力し、裏面用読取部は、原稿の裏面の画像を読み取って、その読み取った画像に対応する読取信号を出力する。
【０００８】
また、制御部は、上記表面用読取部を制御するための表面用制御信号と、上記裏面用読取部を制御するための裏面用制御信号とを、互いに重畳しないタイミングで１つの端子か
ら順次出力する。すると、制御信号切り換え部は、上記制御部が上記端子から出力する信号における上記表面用制御信号と上記裏面用制御信号との切り換りタイミングでその信号の入力先を切り換える。この切り換えによって、上記表面用制御信号は上記表面用読取部に、上記裏面用制御信号は上記裏面用読取部に、それぞれ入力される。
【０００９】
このように、本発明の画像読取装置では、上記表面用読取部を制御するための表面用制御信号と、上記裏面用読取部を制御するための裏面用制御信号とを、互いに重畳しないタイミングで１つの端子から順次出力し、その信号の入力先を上記タイミングで切り換えている。このため、表面用読取部，裏面用読取部に対する制御信号を出力するために要する上記制御部の端子数を、良好に減らすことができる。従って、例えば上記制御部及び上記端子をＡＳＩＣ等に一体に設ける場合は、そのパッケージサイズを良好に小型化することができる。なお、上記制御部は、上記表面用制御信号と上記裏面用制御信号とを順次出力すればよく、必ずしも表，裏，表，裏，…といった具合に交互に出力する必要はない。例えば、表，表，裏，裏，表，表，…などのように出力してもよい。
【００１０】
また、本発明は以下の構成に限定されるものではないが、上記制御部は、上記表面用読取部から出力された読取信号、または、上記裏面用読取部から出力された読取信号の、いずれかを選択する選択信号を出力し、更に、上記表面用読取部、または、上記裏面用読取部のいずれか一方から出力された読取信号に対して画像処理を行う画像処理部と、上記表面用読取部から出力された読取信号、または、上記裏面用読取部から出力された読取信号の、いずれを上記画像処理部に入力するかを上記選択信号に応じて切り換える読取信号切り換え部と、を備え、上記制御部が上記端子から出力する信号の上記切り換りタイミングは、上記選択信号の変化に同期しており、上記制御信号切り換え部は上記選択信号に基づいて上記入力先を切り換えてもよい。
【００１１】
この場合、上記表面用読取部から出力された読取信号、及び、上記裏面用読取部から出力された読取信号は、上記制御部から出力された選択信号に応じて読取信号切り換え部によって切り換えられながら順次画像処理部に入力される。すると、その画像処理部は、上記選択信号に応じた読取信号に対して、画像処理を行う。従って、この場合、上記画像処理部に係る端子数も減らすことができる。
【００１２】
また、上記制御部が上記端子から出力する信号の上記切り換りタイミングは、上記選択信号の変化に同期している。このため、上記制御信号切り換え部は、上記選択信号に基づいて上記入力先を切り換えることによって、前述のように、上記表面用制御信号を上記表面用読取部に、上記裏面用制御信号を上記裏面用読取部に、それぞれ入力することができる。すなわち、この場合、読取信号選択用の上記選択信号を利用して上記制御信号切り換え部による上記入力先の切り換えがなされるので、上記入力先の切り換えタイミングを別途生成された信号で指示する場合に比べ、上記制御部の端子数を一層良好に減らすことができる。
【図面の簡単な説明】
【００１３】
【図１】本発明を適用した画像読取装置の主要部断面を模式的に表す説明図である。
【図２】その画像読取装置のイメージセンサ制御系の構成を表すブロック図である。
【図３】その制御系のＬＥＤ光源制御回路の構成を詳細に表すブロック図である。
【図４】その制御系における処理を表すタイムチャートである。
【発明を実施するための形態】
【００１４】
［画像読取装置の概要］
以下、本発明の実施の形態について図面を用いて説明する。図１は、本発明が適用された画像読取装置１０の主要部の断面を模式的に表す説明図である。図１に示すように、画
像読取装置１０は、フラットベットスキャナとして機能する原稿載置台２０と、その原稿載置台２０に対し蝶番により開閉自在に取り付けられた、ＡＤＦ（Auto Document Feeder）を備える原稿カバー３０とを有している。すなわち、原稿カバー３０は、原稿給紙部１１０に載置された原稿（図示省略）を自動搬送する機構を備えている。先ず、原稿カバー３０の構成について詳細に説明する。
【００１５】
図１に示すように、原稿カバー３０は、原稿給紙部１１０に載置された原稿を、搬送経路（図１に太い点線で示す）に沿って原稿排出部１３０まで搬送する搬送ローラ１２１〜１２９を備えている。また、この搬送経路には、次のような上流側読取位置と下流側読取位置とが設定されている。原稿の裏面の画像読み取りを行うための裏面用イメージセンサ２１０（裏面用読取部の一例）は、上流側読取位置に対応して設けられており、その対向位置には、上流側読取位置を通過する原稿を裏面用イメージセンサ２１０の読取面に押圧する裏面用原稿押え部２２０が設けられている。また、原稿載置台２０に設けられた表面用イメージセンサ２３０（表面用読取部の一例）は、下流側読取位置に対応する位置に移動可能に構成されており、その対向位置には、下流側読取位置を通過する原稿を表面用イメージセンサ２３０の読取面に押圧する表面用原稿押え部２４０が設けられている。
【００１６】
また、この搬送経路上には、対応する位置を搬送中の原稿の有無を検知するためのＦセンサ３１０，ＲＢセンサ３２０，Ｒセンサ３３０が設けられている。なお、これらの各種センサ３１０〜３３０の構成及び動作は周知であり、本発明とは直接関係がないので、ここでは詳細な説明を省略する。
【００１７】
［画像読取装置の制御系の構成］
次に、前述の裏面用イメージセンサ２１０，表面用イメージセンサ２３０の制御系の構成について、図２のブロック図を用いて説明する。裏面用イメージセンサ２１０は、ＣＩＳ（Contact Image Sensor）として構成されており、上記上流側読取位置を通過する原稿の裏面の画像を読み取って、その読み取った画像に対応する読取信号の一例としてのアナログ出力信号ＡＯ＿ＢＳを、主走査方向に沿ったライン単位でＡＯＵＴ端子２１１から順次出力する。表面用イメージセンサ２３０も同様にＣＩＳとして構成されており、上記下流側読取位置を通過する原稿の表面の画像を読み取って、その読み取った画像に対応するアナログ出力信号ＡＯ＿ＦＳを主走査方向に沿ったライン単位で、ＡＯＵＴ端子２３１から順次出力する。なお、上記各アナログ出力信号ＡＯ＿ＦＳ，ＡＯ＿ＢＳの添え字ＦＳ，ＢＳは、それぞれ表面，裏面を表している（後述の他の信号も同様）。
【００１８】
各イメージセンサ２１０，２３０から出力されたアナログ出力信号ＡＯ＿ＢＳ，ＡＯ＿ＦＳは、読取信号切り換え部の一例としてのアナログスイッチ５００を介して制御部の一例としてのＡＳＩＣ４００の１つのＡＯ端子４０１に入力されている。すなわち、アナログスイッチ５００には、ＡＳＩＣ４００のＳＥＬ端子４０２から出力されてＨレベルとＬレベルとに交互に周期的に変化する選択信号ＣＩＳ＿ＳＥＬ入力されている。アナログスイッチ５００は、その選択信号ＣＩＳ＿ＳＥＬがＨレベルであるかＬレベルであるかに応じて、アナログ出力信号ＡＯ＿ＦＳまたはＡＯ＿ＢＳをＡＳＩＣ４００のＡＯ端子４０１に入力する。ＡＳＩＣ４００には、ＡＯ端子４０１に入力されたアナログ出力信号ＡＯ＿ＢＳまたはＡＯ＿ＦＳをデジタル信号に変換するＡＤ変換器４１０と、そのデジタル信号に対して各種補正や拡大，縮小，色変換等の画像処理を行うデジタル信号処理部４２０とが設けられている。なお、ＡＤ変換器４１０とデジタル信号処理部４２０とが画像処理部の一例に相当し、ＡＳＩＣ４００の外側に設けられてもいてもよい。
【００１９】
ＡＳＩＣ４００には、更に、次のような各種制御信号を出力するタイミング生成回路４３０が設けられている。すなわち、タイミング生成回路４３０は、前述の選択信号ＣＩＳ＿ＳＥＬを生成して、ＡＳＩＣ４００のＳＥＬ端子４０２から出力する。また、タイミン
グ生成回路４３０は、クロック信号ＣＩＳ＿ＣＬＫを生成して、ＡＳＩＣ４００のＣＬＫ端子４０３から出力する。出力されたクロック信号ＣＩＳ＿ＣＬＫは、裏面用イメージセンサ２１０，表面用イメージセンサ２３０のＣＬＫ端子２１２，２３２に入力され、各イメージセンサ２１０，２３０による読取処理にクロックとして使用される。
【００２０】
更に、タイミング生成回路４３０は、トリガ信号ＴＧ、モード信号ＣＩＳ＿ＭＯＤＥ、及び、ＬＥＤ制御信号ＬＥＤ＿Ｒ，ＬＥＤ＿Ｇ，ＬＥＤ＿Ｂを生成して、それぞれ、ＴＧ端子４０４、ＭＯＤＥ端子４０５、ＬＥＤ端子４０６から出力する。これらの信号は、制御信号切り換え部の一例としての両面制御信号生成部６００に入力される。なお、上記ＬＥＤ制御信号は、Ｒ（赤）制御用のＬＥＤ＿Ｒと、Ｇ（緑）制御用のＬＥＤ＿Ｇと、Ｂ（青）制御用のＬＥＤ＿Ｂとが、実際には別々の端子から出力されるが、図２では、便宜上、１つのＬＥＤ端子４０６として図示した。
【００２１】
両面制御信号生成部６００は、次のような６個のＡＮＤ回路６１１〜６３３を備えている。すなわち、ＡＮＤ回路６１１は、ＴＧ端子４０４から出力されたトリガ信号ＴＧとＳＥＬ端子４０２から出力された選択信号ＣＩＳ＿ＳＥＬの反転との論理積を、裏面用イメージセンサ２１０のＴＧ端子２１３にトリガ信号ＴＧ＿ＢＳとして入力する。ＡＮＤ回路６１２は、ＭＯＤＥ端子４０５から出力されたモード信号ＣＩＳ＿ＭＯＤＥと、ＳＥＬ端子４０２から出力された選択信号ＣＩＳ＿ＳＥＬの反転との論理積を、裏面用イメージセンサ２１０のＭＯＤＥ端子２１４にモード信号ＣＩＳ＿ＭＯＤＥ＿ＢＳとして入力する。ＡＮＤ回路６１３は、ＬＥＤ端子４０６から出力されたＬＥＤ制御信号ＬＥＤ＿Ｒ，ＬＥＤ＿Ｇ，ＬＥＤ＿Ｂと選択信号ＣＩＳ＿ＳＥＬの反転との論理積を、ＬＥＤ光源制御回路７１０にＬＥＤ制御信号ＬＥＤ＿Ｒ＿ＢＳ，ＬＥＤ＿Ｇ＿ＢＳ，ＬＥＤ＿Ｂ＿ＢＳとして入力する。
【００２２】
また、ＡＮＤ回路６３１は、ＴＧ端子４０４から出力されたトリガ信号ＴＧとＳＥＬ端子４０２から出力された選択信号ＣＩＳ＿ＳＥＬとの論理積を、表面用イメージセンサ２３０のＴＧ端子２３３にトリガ信号ＴＧ＿ＦＳとして入力する。ＡＮＤ回路６３２は、ＭＯＤＥ端子４０５から出力されたモード信号ＣＩＳ＿ＭＯＤＥと、ＳＥＬ端子４０２から出力された選択信号ＣＩＳ＿ＳＥＬとの論理積を、表面用イメージセンサ２３０のＭＯＤＥ端子２３４にモード信号ＣＩＳ＿ＭＯＤＥ＿ＦＳとして入力する。ＡＮＤ回路６３３は、ＬＥＤ端子４０６から出力されたＬＥＤ制御信号ＬＥＤ＿Ｒ，ＬＥＤ＿Ｇ，ＬＥＤ＿Ｂと選択信号ＣＩＳ＿ＳＥＬとの論理積を、ＬＥＤ光源制御回路７３０にＬＥＤ制御信号ＬＥＤ＿Ｒ＿ＦＳ，ＬＥＤ＿Ｇ＿ＦＳ，ＬＥＤ＿Ｂ＿ＦＳとして入力する。
【００２３】
なお、ＡＮＤ回路６１３，６３３も、前述のＬＥＤ＿Ｒ，ＬＥＤ＿Ｇ，ＬＥＤ＿Ｂに応じて３つずつ設けられているが、図２では、便宜上、ＡＮＤ回路６１３，６３３を１つずつ図示した。このように構成された両面制御信号生成部６００により、選択信号ＣＩＳ＿ＳＥＬがＬレベルのときは、ＡＳＩＣ４００から出力されたトリガ信号ＴＧ、モード信号ＣＩＳ＿ＭＯＤＥ、ＬＥＤ制御信号ＬＥＤ＿Ｒ，ＬＥＤ＿Ｇ，ＬＥＤ＿Ｂが、トリガ信号ＴＧ＿ＢＳ、モード信号ＣＩＳ＿ＭＯＤＥ＿ＢＳ、ＬＥＤ制御信号ＬＥＤ＿Ｒ＿ＢＳ，ＬＥＤ＿Ｇ＿ＢＳ，ＬＥＤ＿Ｂ＿ＢＳ（それぞれ裏面用制御信号の一例）として裏面用イメージセンサ２１０とその裏面用イメージセンサ２１０に接続されたＬＥＤ光源制御回路７１０とに入力される。また、このとき、アナログスイッチ５００は、裏面用イメージセンサ２１０からのアナログ出力信号ＡＯ＿ＢＳを、ＡＳＩＣ４００のＡＯ端子４０１に入力する。
【００２４】
一方、選択信号ＣＩＳ＿ＳＥＬがＨレベルのときは、ＡＳＩＣ４００から出力されたトリガ信号ＴＧ、モード信号ＣＩＳ＿ＭＯＤＥ、ＬＥＤ制御信号ＬＥＤ＿Ｒ，ＬＥＤ＿Ｇ，ＬＥＤ＿Ｂが、トリガ信号ＴＧ＿ＦＳ、モード信号ＣＩＳ＿ＭＯＤＥ＿ＦＳ、ＬＥＤ制御
信号ＬＥＤ＿Ｒ＿ＦＳ，ＬＥＤ＿Ｇ＿ＦＳ，ＬＥＤ＿Ｂ＿ＦＳ（それぞれ表面用制御信号の一例）として表面用イメージセンサ２３０とその表面用イメージセンサ２３０に接続されたＬＥＤ光源制御回路７３０とに入力される。また、このとき、アナログスイッチ５００は、表面用イメージセンサ２３０からのアナログ出力信号ＡＯ＿ＦＳを、ＡＳＩＣ４００のＡＯ端子４０１に入力する。
【００２５】
次に、ＬＥＤ光源制御回路７１０，７３０の構成を、図３のブロック図を用いて説明する。図３に示すように、ＬＥＤ光源制御回路７１０は、ＡＳＩＣ４００から上記各信号とは別に出力された周知の電流値制御信号（図２では図示省略）に基づいて、１２Ｖの直流電源から通電された電流を定電流制御する定電流制御部７１１を備えている。この定電流制御部７１１に定電流制御された電流は、裏面用イメージセンサ２１０に光源として設けられた赤色のＬＥＤ７１３，青色のＬＥＤ７１４，緑色のＬＥＤ７１５に通電される。また、各ＬＥＤ７１３，７１４，７１５とグランド（ＧＮＤ）との間には、前述のＬＥＤ制御信号ＬＥＤ＿Ｒ＿ＢＳ，ＬＥＤ＿Ｂ＿ＢＳ，ＬＥＤ＿Ｇ＿ＢＳに応じてＬＥＤ７１３，７１４，７１５への通電／非通電を切り換えるＯＮ／ＯＦＦ回路７１６，７１７，７１８が設けられている。
【００２６】
また、ＬＥＤ光源制御回路７３０も、図３に符号を括弧で囲んで付したように同様に構成されており、表面用イメージセンサ２３０に光源として設けられたＬＥＤ７３３，７３４，７３５を制御するための定電流制御部７３１とＯＮ／ＯＦＦ回路７３６，７３７，７３８とを備えている。
【００２７】
［上記制御系における処理、及びその効果］
次に、図４は、上記各信号の具体例を呈示することによって上記制御系における処理を表したタイムチャートである。なお、図４（Ａ）はＡＳＩＣ４００から出力される信号を、図４（Ｂ)は表面用イメージセンサ２３０に入出力される信号を、図４（Ｃ）は裏面用イメージセンサ２１０に入出力される信号を、それぞれ表している。
【００２８】
図４（Ａ）に示すように、選択信号ＣＩＳ＿ＳＥＬがＨレベルの期間とＬレベルの期間とは等期間に設定されており、そのＨレベルの期間とＬレベルの期間との１組が１サイクル周期となる。また、その１サイクル周期がＲ，Ｇ，Ｂの３色に対して順次配設された期間が１ライン周期となる。そして、ＡＳＩＣ４００は、選択信号ＣＩＳ＿ＳＥＬがＨレベルまたはＬレベルに変化するタイミングに同期して、次のように表面用イメージセンサ２３０を制御するための各種信号（表面用制御信号）と裏面用イメージセンサ２１０を制御するための各種信号（裏面用制御信号）とを切り換えて出力する。
【００２９】
すなわち、ＡＳＩＣ４００のタイミング生成回路４３０は、選択信号ＣＩＳ＿ＳＥＬがＨレベルの期間に、表面用イメージセンサ２３０を制御するための表面用制御信号として、前述のトリガ信号ＴＧと、モード信号ＣＩＳ＿ＭＯＤＥと、ＬＥＤ制御信号ＬＥＤ＿ＲまたはＬＥＤ＿ＧまたはＬＥＤ＿Ｂと、を出力する。すると、それらの信号は、前述のように、トリガ信号ＴＧ＿ＦＳ、モード信号ＣＩＳ＿ＭＯＤＥ＿ＦＳ，ＬＥＤ制御信号ＬＥＤ＿Ｒ＿ＦＳまたはＬＥＤ＿Ｇ＿ＦＳまたはＬＥＤ＿Ｂ＿ＦＳとして、表面用イメージセンサ２３０とそれに接続されたＬＥＤ光源制御回路７３０とにのみ入力される。また、この期間には、表面用イメージセンサ２３０が出力したアナログ出力信号ＡＯ＿ＦＳがアナログスイッチ５００を介してＡＳＩＣ４００に入力される。
【００３０】
同様に、タイミング生成回路４３０は、選択信号ＣＩＳ＿ＳＥＬがＬレベルの期間に、裏面用イメージセンサ２１０を制御するための裏面用制御信号として、トリガ信号ＴＧと、モード信号ＣＩＳ＿ＭＯＤＥと、ＬＥＤ制御信号ＬＥＤ＿ＲまたはＬＥＤ＿ＧまたはＬＥＤ＿Ｂと、を出力する。すると、それらの信号は、前述のように、トリガ信号ＴＧ＿Ｂ
Ｓ、モード信号ＣＩＳ＿ＭＯＤＥ＿ＢＳ，ＬＥＤ制御信号ＬＥＤ＿Ｒ＿ＢＳまたはＬＥＤ＿Ｇ＿ＢＳまたはＬＥＤ＿Ｂ＿ＢＳとして、裏面用イメージセンサ２１０とそれに接続されたＬＥＤ光源制御回路７１０とにのみ入力される。また、この期間には、裏面用イメージセンサ２１０が出力したアナログ出力信号ＡＯ＿ＢＳがアナログスイッチ５００を介してＡＳＩＣ４００に入力される。
【００３１】
但し、例えば図４における最初の１サイクル周期では、赤色のＬＥＤ７１３を点灯させるためのＬＥＤ制御信号ＬＥＤ＿Ｒが出力されている期間に、青（Ｂ）に対応するアナログ出力信号ＡＯ＿ＢＳ，ＡＯ＿ＦＳがイメージセンサ２１０，２３０から出力される。これは、ＬＥＤ制御信号ＬＥＤ＿ＲまたはＬＥＤ＿ＧまたはＬＥＤ＿Ｂに応じてＲまたはＧまたはＢのＬＥＤ７１３〜７３５が光っている間に、イメージセンサ２１０または２３０の受光素子に電荷が蓄積され、その電荷が次のトリガ信号ＴＧをトリガとして出力されるためである。また、図示省略したが、原稿を搬送する際にはその原稿の先端が裏面用イメージセンサ２１０との対向位置，表面用イメージセンサ２３０との対向位置の順で通過するので、制御の開始初期には、裏面用イメージセンサ２１０を制御するための各種信号のみが出力される。
【００３２】
このように、本実施の形態の画像読取装置１０では、表面用イメージセンサ２３０を制御するための各種信号（表面用制御信号）と裏面用イメージセンサ２１０を制御するための各種信号（裏面用制御信号）とを順次、信号の種類に応じて１つずつ設けられた端子４０３〜４０６から出力し、その信号の入力先を両面制御信号生成部６００で選択信号ＣＩＳ＿ＳＥＬに基づいて切り換えている。このため、表面用イメージセンサ２３０，裏面用イメージセンサ２１０に対する上記各種信号を出力するために要するＡＳＩＣ４００の端子数を良好に減らすことができ、延いては、そのパッケージサイズを良好に小型化してコストを低減することができる。
【００３３】
しかも、本実施の形態では、複数の端子４０３〜４０６の１つ１つから、それぞれ異なる種類の表面用制御信号と裏面用制御信号とを互いに重畳しないタイミングで順次出力しているので、上記効果が一層顕著に表れる。また、表面用制御信号と裏面用制御信号とはタイミングをずらして同一の端子４０３〜４０６から個々に出力されるため、表と裏とで解像度を異ならせたり表または裏のみの読み取りを実行させたりする制御も容易である。
【００３４】
また、本実施の形態では、選択信号ＣＩＳ＿ＳＥＬに応じたアナログ出力信号ＡＯ＿ＦＳまたはＡＯ＿ＢＳがアナログスイッチ５００を介してＡＳＩＣ４００に入力される。このため、ＡＯ端子４０１は１つ設けるだけでよく、ＡＳＩＣ４００の端子数を一層良好に減らすことができる。更に、本実施の形態では、このようにアナログスイッチ５００を制御するための選択信号ＣＩＳ＿ＳＥＬを利用して両面制御信号生成部６００による上記入力先の切り換えがなされるので、上記入力先の切り換えタイミングを別途生成された信号で指示する場合に比べ、ＡＳＩＣ４００の端子数を更に一層良好に減らすことができる。
【００３５】
なお、本発明は上記実施の形態に何等限定されるものではなく、本発明の要旨を逸脱しない範囲で種々の形態で実施することができる。例えば、前述のアナログ出力信号ＡＯ＿ＦＳ，ＡＯ＿ＢＳは必ずしも１つにまとめなくてもよく、各々に対するＡＤ変換器４１０，デジタル信号処理部４２０をＡＳＩＣ４００にそれぞれ設けてもよい。更に、本発明は、ＣＣＤを利用した画像読取装置や、画像形成装置と一体に構成された複写機など、種々の画像読取装置にも同様に適用することができる。
【符号の説明】
【００３６】
１０…画像読取装置                  ２０…原稿載置台
３０…原稿カバー                    ２１０…裏面用イメージセンサ
２１１，２３１…ＡＯＵＴ端子        ２１２，２３２，４０３…ＣＬＫ端子
２１３，２３３，４０４…ＴＧ端子    ２１４，２３４，４０５…ＭＯＤＥ端子
２３０…表面用イメージセンサ        ４０１…ＡＯ端子
４０２…ＳＥＬ端子                  ４０６…ＬＥＤ端子
４１０…ＡＤ変換器                  ４２０…デジタル信号処理部
４３０…タイミング生成回路          ５００…アナログスイッチ
６００…両面制御信号生成部
６１１，６１２，６１３，６３１，６３２，６３３…ＡＮＤ回路
７１０，７３０…ＬＥＤ光源制御回路
【図１】
0005482198.tif 000002
【図２】
0005482198.tif 000003
【図３】
0005482198.tif 000004
【図４】
0005482198.tif 000005